(57)【要約】【課題】本発明では、溶接部から捲回群の内側方向に発生した金属異物が、捲回群の内部の正極と負極がセパレータを介して対向している位置まで侵入することを抑制することを目的とする。【解決手段】  本発明における二次電池は、一端に金属箔露出部を有する電極とセパレータを捲回した捲回群と、前記金属箔露出部と接続される集電板と、を備えた二次電池において、前記金属箔露出部には当該捲回群内部への異物侵入を抑制する異物侵入阻害部が設けられることを特徴とする。【選択図】  図５
2018056023.tif 000002
【特許請求の範囲】
【請求項１】
一端に金属箔露出部を有する電極とセパレータを捲回した捲回群と、
前記金属箔露出部と接続される集電板と、を備えた二次電池において、
前記金属箔露出部には当該捲回群内部への異物侵入を抑制する異物侵入阻害部が設けられる二次電池。
【請求項２】
請求項１に記載の二次電池において、
前記異物侵入阻害部は、前記金属箔露出部が折り曲げられて設けられる二次電池。
【請求項３】
請求項２に記載の二次電池において、
前記捲回群のうち、前記電極と前記セパレータが積層方向において最も外側に設けられる電極を第１電極と定義し、
前記第１電極と重なる仮想平面を第１平面と定義し、
前記集電板は、前記第１電極の金属箔露出部が折り曲げられる部分が前記第１平面から外側に突出するように形成される二次電池。
【請求項４】
請求項３に記載の二次電池において、
前記集電板が折り曲げ部を有し、
前記金属箔露出部が折り曲げられる部分は前記集電板の折り曲げ部と対応して設けられる二次電池。
【請求項５】
請求項１に記載の二次電池において、
前記異物侵入阻害部は、前記セパレータが前記金属箔露出部に固定されて形成される二次電池。
【請求項６】
請求項１に記載の二次電池において、
前記異物侵入阻害部は、前記金属箔露出部上に設けられた樹脂部材によって形成される二次電池。
【発明の詳細な説明】
【技術分野】
【０００１】
本発明は、二次電池に関し、特に車載用途であるハイブリッド自動車や電気自動車に用いられる二次電池に関する。
【背景技術】
【０００２】
車載用途等に使用される二次電池には高エネルギー化や高出力化が求められている。このような性能を得るためには、広い面積の電極が必要となる。広い面積の電極をまとめて容器に入れるため、例えば長い電極を捲回するような構造が知られており、捲回後の電極は束ねられて溶接されている。
【０００３】
電極に対する溶接工程において、設備や治工具の劣化や磨耗、部品の汚れ等の影響によって、溶接が不安定になった場合、想定外の金属異物が発生する恐れがある。金属異物が捲回群の内部に侵入してしまった場合、微小な内部短絡が発生し、必要な性能が得られなくなる恐れがある。金属異物が捲回群の内部に侵入するのを防ぐ背景技術として、例えば特開２００９−３０１８９２号公報（特許文献１）がある。
【０００４】
この公報には、捲回群を多孔質材料から構成されている袋状の絶縁部材で覆うことで、絶縁部材に金属異物に対するフィルタとしての機能を付与し、捲回群への金属異物の侵入を回避し、内部短絡を防止することができるとされている。
【０００５】
溶接工程において、設備や治工具の劣化や磨耗、部品の汚れ等の影響によって、溶接が不安定になった場合、想定外の金属異物が発生する恐れがある。特許文献１に記載の技術では、溶接部から捲回群の内側方向に発生した金属異物に対して有効ではない。
【先行技術文献】
【特許文献】
【０００６】
【特許文献１】特開２００９−３０１８９２号公報
【発明の概要】
【発明が解決しようとする課題】
【０００７】
本発明の課題は、溶接部から捲回群の内側方向に発生した金属異物の侵入を抑制することである。
【課題を解決するための手段】
【０００８】
上記課題を解決するために、本発明における二次電池は、一端に金属箔露出部を有する電極とセパレータを捲回した捲回群と、前記金属箔露出部と接続される集電板と、を備えた二次電池において、前記金属箔露出部には当該捲回群内部への異物侵入を抑制する異物侵入阻害部が設けられることを特徴とする。
【発明の効果】
【０００９】
本発明によれば、溶接部から捲回群の内側方向に発生した金属異物の侵入を抑制することができる。
【図面の簡単な説明】
【００１０】
【図１】扁平捲回形二次電池１００の外観斜視図である。
【図２】扁平捲回形二次電池１００の分解斜視図である。
【図３】捲回群３の一部を展開した状態を示す分解斜視図である。
【図４】負極集電板２４と正極集電板４４と捲回群３の箔露出部の接合後を示す模式図である。
【図５】図４における正極接続部近傍のＡ−Ａ断面図である。
【図６】実施例２における捲回群の模式図である。
【図７】実施例２における集電板と捲回群の箔露出部の接合後を示す模式図である。
【図８】図７における正極接続部近傍のＢ−Ｂ断面図である。
【図９】実施例３における正極側箔露出部３４ｃ近傍の捲回群の部分断面図である。
【図１０】実施例４における正極側箔露出部３４ｃ近傍の捲回群の部分断面図である。
【発明を実施するための形態】
【００１１】
以下、本発明に係る実施例について図面を用いて説明する。
【実施例１】
【００１２】
図１は、扁平捲回形二次電池１００の外観斜視図である。図２は、扁平捲回形二次電池１００の分解斜視図である。
【００１３】
扁平捲回形二次電池１００は、電池缶１および蓋（電池蓋）６を備える。電池缶１は、相対的に面積の大きい一対の対向する幅広側面１ｂ及び相対的に面積の小さい一対の対向する幅狭側面１ｃを有する側面と、底面１ｄと、を有する。さらに電池缶１は、底面１ｄと対向する位置に開口部１aが形成される。
【００１４】
電池缶１内には、捲回群３が収納され、電池缶１の開口部１ａが電池蓋６によって封止されている。電池蓋６は略矩形平板状であって、電池缶１の開口部１aを塞ぐように溶接されて電池缶１が封止されている。
【００１５】
電池蓋６には、正極外部端子１４と、負極外部端子１２が設けられている。正極外部端子１４と負極外部端子１２を介して捲回群３に充電され、また外部負荷に電力が供給される。電池蓋６には、ガス排出弁１０が一体的に設けられ、電池容器内の圧力が上昇すると、ガス排出弁１０が開いて内部からガスが排出され、電池容器内の圧力が低減される。これによって、扁平捲回形二次電池１００の安全性が確保される。
【００１６】
扁平捲回形二次電池１００の電池缶１は、矩形の底面１ｄと、底面１ｄから立ち上がる角筒状の幅広側面１ｂ及び幅広側面１ｃと、幅広側面１ｂ及び幅広側面１ｃの上端で上方に向かって開放された開口部１ａとを有している。電池缶１内には、絶縁保護フィルム２を介して捲回群３が収容されている。
【００１７】
捲回群３は、扁平形状に捲回されているため、断面半円形状の互いに対向する一対の湾曲部と、これら一対の湾曲部の間に連続して形成される平面部とを有している。捲回群３は、捲回軸方向が電池缶１の横幅方向に沿うように、一方の湾曲部側から電池缶１内に挿入され、他方の湾曲部側が上部開口側に配置される。
【００１８】
捲回群３の正極電極箔露出部３４ｃは、正極集電板（集電端子）４４を介して電池蓋６に設けられた正極外部端子１４と電気的に接続されている。また、捲回群３の負極電極箔露出部３２ｃは、負極集電板（集電端子）２４を介して電池蓋６に設けられた負極外部端子１２と電気的に接続されている。
【００１９】
これにより、正極集電板４４および負極集電板２４を介して捲回群３から外部負荷へ電力が供給され、正極集電板４４および負極集電板２４を介して捲回群３へ外部発電電力が供給され充電される。
【００２０】
正極集電板４４と負極集電板２４、及び、正極外部端子１４と負極外部端子１２を、それぞれ電池蓋６から電気的に絶縁するために、ガスケット５および絶縁板７が電池蓋６に設けられている。また、注液口９から電池缶１内に電解液を注入した後、電池蓋６に注液栓１１をレーザ溶接により接合して注液口９を封止し、扁平捲回形二次電池１００を密閉する。
【００２１】
ここで、正極外部端子１４および正極集電板４４の形成素材としては、例えばアルミニウム合金が挙げられ、負極外部端子１２および負極集電板２４の形成素材としては、例えば銅合金が挙げられる。また、絶縁板７およびガスケット５の形成素材としては、例えばポリブチレンテレフタレートやポリフェニレンサルファイド、ペルフルオロアルコキシフッ素樹脂等の絶縁性を有する樹脂材が挙げられる。
【００２２】
また、電池蓋６には、電池容器内に電解液を注入するための注液孔９が穿設されており、この注液孔９は、電解液を電池容器内に注入した後に注液栓１１によって封止される。ここで、電池容器内に注入される電解液としては、例えばエチレンカーボネート等の炭酸エステル系の有機溶媒に６フッ化リン酸リチウム（ＬｉＰＦ６）等のリチウム塩が溶解された非水電解液を適用することができる。
【００２３】
正極外部端子１４及び負極外部端子１２は、バスバー等に溶接接合される溶接接合部を有している。溶接接合部は、電池蓋６から上方に突出する直方体のブロック形状を有しており、下面が電池蓋６の表面に対向し、上面が所定高さ位置で電池蓋６と平行になる構成を有している。
【００２４】
正極接続部１４a及び負極接続部１２aは、正極外部端子１４と負極外部端子１２の下面からそれぞれ突出して、先端が電池蓋６の正極側貫通孔４６と負極側貫通孔２６にそれぞれ挿入可能な円柱形状を有している。
【００２５】
正極接続部１４a及び負極接続部１２aは、電池蓋６を貫通して正極集電板４４、負極集電板２４の正極集電板基部４１、負極集電板基部２１よりも電池缶１の内部側に突出しており、先端がかしめられて、正極外部端子１４、負極外部端子１２と、正極集電板４４、負極集電板２４を電池蓋６に一体に固定している。
【００２６】
正極外部端子１４、負極外部端子１２と電池蓋６との間には、それぞれガスケット５が介在されており、正極集電板４４、負極集電板２４と電池蓋６との間には、絶縁板７が介在されている。
【００２７】
正極集電板４４、負極集電板２４は、電池蓋６の下面に対向して配置される矩形板状の正極集電板基部４１、負極集電板基部２１と、正極集電板基部４１、負極集電板基部２１の側端で折曲されて、電池缶１の幅広面に沿って底面側に向かって延出し、捲回群３の正極電極箔露出部３４ｃ、負極電極箔露出部３２ｃに対向して重ね合わされた状態で接続される正極側接続端部４２、負極側接続端部２２を有している。
【００２８】
正極集電板基部４１、負極集電板基部２１には、正極接続部１４a、負極接続部１２aが挿通される正極側開口穴４３、負極側開口穴２３がそれぞれ形成されている。
【００２９】
捲回群３の扁平面に沿う方向でかつ捲回群３の捲回軸方向に直交する方向を中心軸方向として前記捲回群３の周囲には絶縁保護フィルム２が巻き付けられている。絶縁保護フィルム２は、例えばＰＰ（ポリプロピレン）などの合成樹脂製の一枚のシートまたは複数のフィルム部材からなり、捲回群３の扁平面と平行な方向でかつ捲回軸方向に直交する方向を巻き付け中心として巻き付けることができる長さを有している。
【００３０】
図３は、捲回群３の一部を展開した状態を示す分解斜視図である。
【００３１】
捲回群３は、負極電極３２と正極電極３４を間にセパレータ３３、３５を介して扁平状に捲回することによって構成されている。捲回群３は、最外周の電極が負極電極３２であり、さらにその外側にセパレータ３３、３５が捲回される。セパレータ３３、３５は、正極電極３４と負極電極３２との間を絶縁する役割を有している。
【００３２】
負極電極３２の負極合剤層３２ｂが塗布された部分は、正極電極３４の正極合剤層３４ｂが塗布された部分よりも幅方向に大きく、これにより正極合剤層３４ｂが塗布された部分は、必ず負極合剤層３２ｂが塗布された部分に挟まれるように構成されている。
【００３３】
正極電極箔露出部３４ｃ、負極電極箔露出部３２ｃは、平面部分で束ねられて溶接等により接続される。尚、セパレータ３３、３５は幅方向で負極合剤層３２ｂが塗布された部分よりも広いが、正極電極箔露出部３４ｃ、負極電極箔露出部３２ｃで端部の金属箔面が露出する位置に捲回されるため、束ねて溶接する場合の支障にはならない。
【００３４】
正極電極３４は、正極集電体である正極電極箔の両面に正極活物質合剤を有し、正極電極箔の幅方向一方側の端部には、正極活物質合剤を塗布しない正極電極箔露出部３４ｃが設けられている。
【００３５】
負極電極３２は、負極集電体である負極電極箔の両面に負極活物質合剤を有し、正極電極箔の幅方向他方側の端部には、負極活物質合剤を塗布しない負極電極箔露出部３２ｃが設けられている。正極電極箔露出部３４ｃと負極電極箔露出部３２ｃは、電極箔の金属面が露出した領域であり、捲回軸方向の一方側と他方側の位置に配置されるように捲回される。
【００３６】
負極電極３２に関しては、負極活物質として非晶質炭素粉末１００重量部に対して、結着剤として１０重量部のポリフッ化ビニリデン（以下、ＰＶＤＦという。）を添加し、これに分散溶媒としてＮ−メチルピロリドン（以下、ＮＭＰという。）を添加、混練した負極合剤を作製した。この負極合剤を厚さ１０μｍの銅箔（負極電極箔）の両面に溶接部（負極未塗工部）を残して塗布した。その後、乾燥、プレス、裁断工程を経て、銅箔を含まない負極活物質塗布部厚さ７０μｍの負極電極３２を得た。
【００３７】
尚、本実施形態では、負極活物質に非晶質炭素を用いる場合について例示したが、これに限定されるものではなく、リチウムイオンを挿入、脱離可能な天然黒鉛や、人造の各種黒鉛材、コークスなどの炭素質材料やＳｉやＳｎなどの化合物（例えば、ＳｉＯ、ＴｉＳｉ２等）、またはそれの複合材料でもよく、その粒子形状においても、鱗片状、球状、繊維状、塊状等、特に制限されるものではない。
【００３８】
正極電極３４に関しては、正極活物質としてマンガン酸リチウム（化学式ＬｉＭｎ２Ｏ４）１００重量部に対し、導電材として１０重量部の鱗片状黒鉛と結着剤として１０重量部のＰＶＤＦとを添加し、これに分散溶媒としてＮＭＰを添加、混練した正極合剤を作製した。この正極合剤を厚さ２０μｍのアルミニウム箔（正極電極箔）の両面に溶接部（正極未塗工部）を残して塗布した。その後、乾燥、プレス、裁断工程を経て、アルミニウム箔を含まない正極活物質塗布部厚さ９０μｍの正極電極３１を得た。
【００３９】
また、本実施形態では、正極活物質にマンガン酸リチウムを用いる場合について例示したが、スピネル結晶構造を有する他のマンガン酸リチウムや一部を金属元素で置換又はドープしたリチウムマンガン複合酸化物や層状結晶構造を有すコバルト酸リチウムやチタン酸リチウムやこれらの一部を金属元素で置換またはドープしたリチウム-金属複合酸化物を用いるようにしてもよい。
【００４０】
また、本実施形態では、正極電極３４、負極電極３２における塗工部の結着材としてＰＶＤＦを用いる場合について例示したが、ポリテトラフルオロエチレン（ＰＴＦＥ）、ポリエチレン、ポリスチレン、ポリブタジエン、ブチルゴム、ニトリルゴム、スチレンブタジエンゴム、多硫化ゴム、ニトロセルロース、シアノエチルセルロース、各種ラテックス、アクリロニトリル、フッ化ビニル、フッ化ビニリデン、フッ化プロピレン、フッ化クロロプレン、アクリル系樹脂などの重合体およびこれらの混合体などを用いることができる
また、軸芯としては例えば、正極電極３４、負極電極３２、セパレータ３３のいずれよりも曲げ剛性の高い樹脂シートを捲回して構成したものを用いることができる。
【００４１】
図４は、負極集電板２４と正極集電板４４と捲回群３の箔露出部の接合後を示す模式図である。
【００４２】
電池蓋６の片側には正極外部端子１４と正極集電板４４が、反対側には負極外部端子１２と負極集電板２４が、それぞれガスケット５および絶縁板７を電池蓋６との間に介在して固定されている。電池蓋６は、正極集電板４４が捲回群３の正極電極箔露出部３４ｃ側に、負極集電板２４が捲回群３の負極電極箔露出部３２ｃ側にそれぞれ位置するよう、配置されている。図４では、正極集電板４４および負極集電板２４は、捲回群３の背面に配置されるような形状となっている。
【００４３】
正極電極箔露出部３４ｃは束ねられて正極集電板４４に溶接等により接続される。溶接の際、正極電極箔露出部３４ｃの正極集電板４４と反対側の面には、正極当て板４７が配置される。すなわち、正極電極箔露出部３４ｃは、正極集電板４４と正極当て板４７に挟まれて溶接等により接続される。
【００４４】
また、負極電極箔露出部３２ｃも同様に、束ねられて負極集電板２４に溶接等により接続される。溶接の際、負極電極箔露出部３２ｃの負極集電板２４と反対側の面には、負極当て板２７が配置される。すなわち、負極電極箔露出部３２ｃは、負極集電板２４と負極当て板２７に挟まれて溶接等により接続される。
【００４５】
図５は、図４における正極接続部近傍のＡ−Ａ断面図である。
【００４６】
正極集電板４４には、図５に示すように正極電極箔露出部３４ｃを溶接等により接続される平坦な正極接続端部４２と、正極接続端部４２から延伸されて折り曲げられている正極集電板折り曲げ部４５と、が形成されている。
【００４７】
正極電極箔露出部３４ｃは、正極集電板４４の正極集電板折り曲げ部４５に沿うように折り曲げて束ねられて、正極箔密着部３４ｄを形成する。さらに正極箔密着部３４ｄは、正極当て板４７と正極接続端部４２に挟まれて、溶接等により接続される。
【００４８】
正極電極箔露出部３４ｃは、双方向矢印の方向に沿って積層されており、図５において最も下層に配置された正極電極箔露出部３４ｃを第１正極電極箔３４１と定義し、最も上層に配置された正極電極箔露出部３４ｃを第２正極電極箔３４２と定義される。図５において平面Fは、第１正極電極箔３４１と重なる仮想平面である。
【００４９】
正極集電板折り曲げ部４５には、正極集電板折り曲げ凸部４５ａと４５ｂが形成される。第１正極電極箔３４１は、正極側接続端部４２に向かって延ばされる。そして第１正極電極箔３４１は、正極集電板折り曲げ凸部４５ａによって、平面Fと同一面または平面Fよりも下側となるように形成される。言い換えると、第１正極電極箔３４１は、平面Fと第２正極電極箔３４２に挟まる空間よりも外側に突出するように、または当該空間の境界面と重なるように形成される。
【００５０】
これにより、第１正極電極箔３４１及び第２正極電極箔３４２を含めた正極電極箔露出部３４ｃは、正極集電板折り曲げ凸部４５ａにおいて密着し、正極箔密着部３４ｄを形成することとなる。
【００５１】
正極箔密着部３４ｄでは、正極電極箔露出部３４ｃが密に重なっているため、溶接が不安定になり、正極電極箔露出部３４ｃが束ねられて正極集電板４４と正極当て板４７に挟まれて溶接された溶接部から金属異物が発生した場合においても、金属異物が正極箔密着部３４ｄよりも捲回群３の内側、すなわち正極電極３４と負極電極３２がセパレータ３３、３５を介して対向している位置まで侵入することを抑制することができる。すなわち、正極箔密着部３４ｄは、捲回群３の内部へ異物が侵入することを抑制する異物侵入阻害部として機能する。
【００５２】
なお、図５では正極電極箔露出部３４ｃの近傍について図示しているが、負極接続部近傍においても同様の形状を取ることで、同様の効果を得ることができる。
【実施例２】
【００５３】
図６は、実施例２における捲回群３の模式図である。図７は、実施例２における集電板と捲回群の箔露出部の接合後を示す模式図である。
【００５４】
正極電極３４の正極電極箔露出部３４ｃには、捲回群３の捲回軸方向に短冊状に切断された正極箔突出部３４ｅがあり、負極電極３２の負極電極箔露出部３２ｃには、捲回群３の捲回軸方向に短冊状に切断された負極箔突出部３２ｅがある。
【００５５】
正極箔突出部３４ｅは正極集電板４８に接合される部分である。負極箔突出部３２ｅは負極集電板２８に接合される部分である。
【００５６】
正極箔突出部３４ｅは、正極電極箔露出部３４ｃの長手方向に対して等間隔に形成されている必要はなく、捲回された際に、集電接合に必要な範囲で重なり合うような間隔で形成されていれば良い。
【００５７】
負極箔突出部３２ｅは、負極電極箔露出部３２ｃの負極電極３２の長手方向に対して等間隔に形成されている必要はなく、捲回された際に、集電接合に必要な範囲で重なり合うような間隔で形成されていれば良い。
【００５８】
電池蓋６の一方には正極外部端子１４と正極集電板４８が、他方には負極外部端子１２と負極集電板２８が、それぞれガスケット５および絶縁板７を電池蓋６との間に介在して固定されている。電池蓋６は、正極集電板４８が捲回群３の正極箔突出部３４ｅ側に、負極集電板２８が捲回群３の負極箔突出部３２ｅ側にそれぞれ位置するよう、配置されている。
【００５９】
図８は、図７における正極接続部近傍のＢ−Ｂ断面図である。
【００６０】
正極箔突出部３４ｅは束ねられて正極集電板４８に溶接等により接続される。溶接の際、正極当て板４７が正極箔突出部３４ｅを挟んで正極集電板４８と対向する位置に配置される。すなわち、正極箔突出部３４ｅは、正極集電板４８と正極当て板４７に挟まれて溶接等により接続される。
【００６１】
また、負極箔突出部３２ｅも同様に、束ねられて負極集電板２８に溶接等により接続される。溶接の際、負極当て板２７が負極箔突出部３２ｅを挟んで負極集電板２８と対向する位置に配置される。すなわち、負極箔突出部３２ｅは、負極集電板２８と負極当て板２７に挟まれて溶接等により接続される。
【００６２】
正極集電板４８には、正極箔突出部３４ｅを溶接等により接続される平坦な正極接続端部４９が形成されている。正極箔突出部３４ｅは、正極接続端部４９に沿うように束ねて配置され、正極当て板４７と正極接続端部４９に挟まれて、溶接等により接続される。
【００６３】
正極接続端部４９は、正極箔突出部３４ｅを折り曲げて束ねられて沿わせた際に、正極接続端部４９から最も離れた位置の正極箔突出部３４ｅが捲回群３の正極箔３４ａの最外周よりも外側を沿うような形状をしている。すなわち、正極箔突出部３４ｅは正極接続端部４９を沿うことによって折り曲げられて密着し、正極箔密着部３４ｆを形成することとなる。
【００６４】
言い換えると、第２正極電極箔３４２は、正極接続端部４９によって、平面Fと同一面または平面Fよりも上側となるように形成される。つまり、第２正極電極箔３４２は、平面Fと第１正極電極箔３４１に挟まる空間よりも外側に突出するように、または当該空間の境界面と重なるように形成される。
【００６５】
正極箔密着部３４ｆでは、正極箔突出部３４ｅが密に重なっているため、溶接が不安定になり、正極箔突出部３４ｅが束ねられて正極接続端部４９と正極当て板４７に挟まれて溶接された溶接部から金属異物が発生した場合においても、金属異物が正極箔密着部３４ｆよりも捲回群３側、すなわち正極電極３４と負極電極３２がセパレータ３３、３５を介して対向している位置まで侵入することを抑制することができる。すなわち、正極箔密着部３４ｆは、捲回群３の内部へ異物が侵入することを抑制する異物侵入阻害部となる。
【００６６】
なお、図８では正極接続部近傍について図示しているが、負極接続部近傍においても同様の形状を取ることで、同様の効果を得ることができる。
【実施例３】
【００６７】
図９は、実施例３における正極側箔露出部３４ｃ近傍の捲回群の部分断面図である。
【００６８】
正極電極３４と負極電極３２は、セパレータ３３、３５を介して捲回されている。正極合剤層３４ｂは、必ず負極合剤層３２ｂとセパレータ３３、３５を介して対向するように配置されている。また、負極電極３２と正極電極箔露出部３４ｃの間には、必ずセパレータ３３、３５が位置するよう、捲回されている。
【００６９】
セパレータ３３、３５の正極電極箔露出部３４ｃ側の端部は、正極電極箔露出部３４ｃに接着または溶着等の方法で固定され、セパレータ固定部３３ａ、３５ａを形成している。正極電極箔露出部３４ｃは束ねられて正極集電板４４と正極当て板４７に挟まれて溶接等により接続されるが(図示せず)、溶接が不安定になり、溶接部から金属異物が発生した場合においても、セパレータ３３、３５が正極電極箔露出部３４ｃに固定され、セパレータ固定部３３ａ、３５ａを形成していることにより、金属異物が捲回群３の内部、すなわち正極電極３４と負極電極３２がセパレータ３３、３５を介して対向している位置まで侵入することを抑制することができる。
【００７０】
すなわち、セパレータ３３、３５の正極電極箔露出部３４ｃに固定されているセパレータ固定部３３ａ、３５ａは、捲回群３の内部へ異物が侵入することを抑制する異物侵入阻害部として機能する。
【実施例４】
【００７１】
図１０は、実施例４における正極側箔露出部３４ｃ近傍の捲回群の部分断面図である。
【００７２】
正極電極３４と負極電極３２は、セパレータ３３、３５を介して捲回されている。正極合剤層３４ｂは、必ず負極合剤層３２ｂとセパレータ３３、３５を介して対向するように配置されている。また、負極電極３２と正極電極箔露出部３４ｃの間には、必ずセパレータ３３、３５が位置するよう、捲回されている。
【００７３】
正極電極箔露出部３４ｃのセパレータ３３、３５よりも捲回群３の外側方向には、異物の捲回群３への侵入を阻害する阻害部５１が設けられている。阻害部５１によって、隣接する正極集電箔露出部３４ｃの捲回群３の外側から内側への侵入経路は狭くなっており、セパレータ３３、３５よりも狭いほうが良い。
【００７４】
阻害部５１は、例えばポリプロピレンやポリエチレンなどの、絶縁性の樹脂材料で形成されている。
【００７５】
正極電極箔露出部３４ｃは束ねられて正極集電板４４と正極当て板４７に挟まれて溶接等により接続されるが(図示せず)、溶接が不安定になり、溶接部から金属異物が発生した場合においても、阻害部５１によって、金属異物が捲回群３の内部、すなわち正極電極３４と負極電極３２がセパレータ３３、３５を介して対向している位置まで侵入することを抑制することができる。すなわち、阻害部５１は、捲回群３の内部へ異物が侵入することを抑制する異物侵入阻害部となる。
【００７６】
図１０においては、阻害部５１を正極電極箔露出部３４ｃの一方の面に配置している例を示しているが、この限りではなく、正極電極箔露出部３４ｃの両方の面に配置してもよい。また、阻害部５１は隣接する正極集電箔露出部３４ｃとの間に隙間がある例を示しているが、阻害部５１が隣接する正極集電箔露出部３４ｃまたは正極電極箔露出部３４ｃの他方の面に設けられた阻害部５１と密着していても良い。
【符号の説明】
【００７７】
１…電池缶、１a…開口部、１ｂ…幅広側面、幅狭側面１ｃ…幅狭側面、１ｄ…底面、２…絶縁保護フィルム、３…捲回群、５…ガスケット、６…電池蓋、７…絶縁板、９…注液口、１０…ガス排出弁、１１…注液栓、１２…負極外部端子、１２a…負極接続部、１４…正極外部端子、１４a…正極接続部、２１…負極集電板基部、２２…負極側接続端部、２３…負極側開口穴、２４…負極集電板、２６…負極側貫通孔、２７…負極当て板、２８…負極集電板、３２…負極電極、３２ｂ…負極合剤層、３２ｃ…負極電極箔露出部、３２ｅ…負極箔突出部、３３…セパレータ、３３ａ…セパレータ固定部、３４…正極電極、３４ｂ…正極合剤層、３４ｃ…正極電極箔露出部、３４ｄ…正極箔密着部、３４ｅ…正極箔突出部、３５…セパレータ、３５ａ…セパレータ固定部、４１…正極集電板基部、４２…正極側接続端部、４３…正極側開口穴、４４…正極集電板、４５…正極集電板折り曲げ部、４５ａ…正極集電板折り曲げ凸部、４５ｂ…正極集電板折り曲げ凸部、４６…正極側貫通孔、４７…正極当て板、４８…正極集電板、４９…正極側接続端部、５１…阻害部、１００…扁平捲回形二次電池
【図１】
2018056023.tif 000003
【図２】
2018056023.tif 000004
【図３】
2018056023.tif 000005
【図４】
2018056023.tif 000006
【図５】
2018056023.tif 000007
【図６】
2018056023.tif 000008
【図７】
2018056023.tif 000009
【図８】
2018056023.tif 000010
【図９】
2018056023.tif 000011
【図１０】
2018056023.tif 000012